(57)【要約】【課題】簡単な構造で遮音性能を向上させる。【解決手段】自動車用ドアグラスラン１０は、グラスラン本体１１の底壁部１１ｃの該グラスラン本体１１のコ字状空間側の面に、ドアガラス１００を閉める際に、コ字状空間に受容された該ドアガラス１００の上端面に押圧されて変形するガラス規制部１６を設け、ガラス規制部１６は、ドアガラス１００の上端面に押圧されることで、グラスラン本体１１の一対の側壁部１１ａ，１１ｂに対向する部位が変位して、該側壁部１１ａ，１１ｂをコ字状空間側からみて外方に押圧するとともに、グラスラン本体１１の底壁部１１ｃを上方に押圧する。【選択図】図５
2008162320.tif 000002
【特許請求の範囲】
【請求項１】
自動車のドアサッシュ部に嵌合保持されるとともに断面略コ字状又はチャンネル状のグラスラン本体の開口縁部にドアガラスの表裏両面に圧接するアウタシールリップとインナシールリップが突出形成された自動車用ドアグラスランにおいて、
前記グラスラン本体は、前記ドアサッシュ部が、底壁部及び車幅方向における一対の側壁部により断面略コ字状又はチャンネル状をなすことに対応して、該底壁部及び側壁部に対向する底壁部及び車幅方向における一対の側壁部により前記断面略コ字状又はチャンネル状に形成されており、
前記グラスラン本体の底壁部の該グラスラン本体のコ字状又はチャンネル状空間側の面に、前記ドアガラスを閉める際に、前記コ字状又はチャンネル状空間に受容された該ドアガラスの上端面に押圧されて変形する変形部を設けており、
前記変形部は、前記ドアガラスの上端面に押圧されることで、前記グラスラン本体の一対の側壁部に対向する部位が変位して、該側壁部を前記コ字状又はチャンネル状空間側からみて外方に押圧するとともに、前記グラスラン本体の底壁部を上方に押圧することを特徴とする自動車用ドアグラスラン。
【請求項２】
前記ドアサッシュ部には、前記一対の側壁部に前記グラスラン本体の車幅方向における一対の側壁部と係止する係止部がそれぞれ形成されており、前記グラスラン本体の一対の側壁部に、前記ドアサッシュ部に対向する面から突出し、該ドアサッシュ部の一対の側壁部の係合部に係合する係止突起を設け、前記変形部における前記グラスラン本体の一対の側壁部に対応する部位は、変位して、前記グラスラン本体の一対の側壁部における前記係止突起の形成部位を外方に押圧することを特徴とする請求項１に記載の自動車用ドアグラスラン。
【請求項３】
前記変形部は、中空形状とされており、上側の側壁部が前記グラスラン本体の底壁部に一体的に形成され、車幅方向にて車室内側及び車室外側に位置されている側壁部が、前記グラスラン本体の、車幅方向にて車室内側及び車室外側に位置されている側壁部それぞれに対向しており、前記変形部の、車幅方向にて車室内側及び車室外側に位置されている側壁部は、前記グラスラン本体の、車幅方向にて車室内側及び車室外側に位置されている側壁部に向かって凸となるように屈曲形状とされていることを特徴とする請求項１又は２に記載の自動車用ドアグラスラン。
【請求項４】
前記変形部の、前記グラスラン本体の一対の側壁部に対向する部位に、突起形状の外部突起部を設けることを特徴とする請求項３に記載の自動車用ドアグラスラン。
【請求項５】
前記変形部の前記上側の側壁部及び該上側の側壁部に対向する下側の側壁部の、該変形部の中空部内側の面それぞれに、突起形状の内部突起部を設けており、前記変形部が前記ドアガラスの上端面に押圧されて、前記各内部突起部が互いに当接することで、該ドアガラスから前記変形部に入力される押圧力を、前記変形部の下側及び上側の側壁部を介して、前記グラスラン本体の底壁部に伝達することを特徴とする請求項３又は４に記載の自動車用ドアグラスラン。
【発明の詳細な説明】
【技術分野】
【０００１】
本発明は、自動車のドアサッシュ部に嵌合保持されてドアガラスの昇降を案内しつつ車室内外をシールするための自動車用ドアグラスランに関する。
【背景技術】
【０００２】
車両において気流騒音及び通過車両音を低減するためには側方遮音を向上させる必要があり、特許文献１には、ドアサッシュとドアガラスとの間に、ドアグラスランを設けた構造が開示されている。
特許文献１に開示の構造では、ドアグラスランとドアサッシュとの隙間のシール性を確保するため、ドアグラスランのコ字形状を構成する底壁部又はその近傍に圧接のためのリップを設けている。
このような構造により、ドアガラスが上昇してきた際、前記底壁部又はその近傍に設けたリップにドアガラスが当接する結果、該底壁部や側壁部がドアサッシュに押し付けられて、遮音性能を向上させるとともに、グラスランの脱落を防止している。
【特許文献１】特開２００２−２３０５号公報
【発明の開示】
【発明が解決しようとする課題】
【０００３】
しかしながら、前記特許文献１に開示の構造では、底壁部又はその近傍にリップが片持ちばり構造として形成されているので、ドアガラスの力がリップを介して前記底壁部や側壁部に伝わり難く、前記底壁部や側壁部がドアサッシュに十分に押し付けられないことで、遮音性能が十分に向上されてない、という課題がある。
本発明の課題は、簡単な構造で遮音性能を向上させることである。
【課題を解決するための手段】
【０００４】
前記課題を解決するために、本発明に係る自動車用ドアグラスランは、ドアサッシュ部が、底壁部及び車幅方向における一対の側壁部により断面略コ字状又はチャンネル状をなすことに対応して、該底壁部及び側壁部に対向する底壁部及び車幅方向における一対の側壁部により断面略コ字状又はチャンネル状にグラスラン本体が形成されており、グラスラン本体の底壁部の該グラスラン本体のコ字状又はチャンネル状空間側の面に、ドアガラスを閉める際に、コ字状又はチャンネル状空間に受容された該ドアガラスの上端面に押圧されて変形する変形部を設けている。そして、変形部が、ドアガラスの上端面に押圧されることで、グラスラン本体の一対の側壁部に対向する部位が変位して、該側壁部をコ字状又はチャンネル状空間側からみて外方に押圧するとともに、グラスラン本体の底壁部を上方に押圧する。
【発明の効果】
【０００５】
本発明によれば、グラスラン本体の各壁部がドアサッシュ部の各壁部と確実に圧接するようになるので、底壁部に変形部を設けるだけといった簡単な構造により、遮音性能を向上させることができる。
【発明を実施するための最良の形態】
【０００６】
本発明を実施するための最良の形態（以下、実施形態という。）を図面を参照しながら詳細に説明する。
（構成）
本実施形態は、本発明を適用した自動車用ドアグラスランである。
図１は、本実施形態の自動車用ドアグラスラン１０の構成を示す。
図２は、ドアサッシュ部３０に取り付けられた状態の自動車用ドアグラスラン１０を示す。図２に示す形状は、図３に示すフロントドア１及びリヤドア２のドアサッシュ部３０のうち車体ルーフ部やフロントピラーに沿うことになるサッシュ上辺部での断面図、すなわち同図のＡ−Ａ線およびＢ−Ｂ線に沿う断面形状となる。
【０００７】
図２に示すように、ドアサッシュ部３０は、ドア本体を形成しているアウタパネルやインナパネルとともにフレーム状に形成されていて、このドアサッシュ部３０の両側壁部３１，３２と底壁部３３とをもって形成される断面略コ字状又はチャンネル状空間たる受容凹部に例えばＥＰＤＭに代表されるようなエチレンプロピレンゴム等を基材とするソリッドゴム又は発泡スポンジゴムにて形成されたドアグラスラン１０が嵌合保持されている。
【０００８】
ドアグラスラン１０は、ドアサッシュ部３０の形状に沿うような形状として、下向きに開口する断面略コ字状又はチャンネル状のグラスラン本体１１を中心として形成されている。より詳しくは、インナ側（車室内側）の側壁部１１ａとアウタ側（車室外側）の側壁部１１ｂのほか、それら側壁部１１ａ，１１ｂ同士をつないでいる底壁部１１ｃとにより、グラスラン本体１１が断面略コ字状又はチャンネル状とされている。
【０００９】
そして、インナ側の側壁部１１ａ及びアウタ側の側壁部１１ｂの外側に一対の係止突起１２，１３が突出形成されている。係止突起１２，１３は、インナ側及びアウタ側の側壁部１１ａ，１１ｂそれぞれにおいて、底壁部１１ｃに近い部分に形成されている。ドアグラスラン１０は、この係止突起１２，１３が、ドアサッシュ部３０側における係合部をなす段状部３４，３５に係合することで、ドアサッシュ部３０に嵌合保持され、ドアサッシュ部３０に対する位置決めと抜け止めとが施される。
【００１０】
また、インナ側の側壁部１１ａの開口縁からそのコ字状空間内に向けてインナシールリップ１４が、アウタ側の側壁部１１ｂの開口縁から同じくそのコ字状空間内に向けてアウタシールリップ１５が、それぞれ斜めに突出形成されている。ドアガラス１００の上昇時には、各シールリップ１４，１５を撓ませながらそのグラスラン本体１１のコ字状空間内にドアガラス１００の上端部を案内しながら受容し、ドアガラス１００の上端面がガラス規制リップ１６に当接することで、車室内外をシールすることになる。
【００１１】
図４は、ガラス規制部１６及びその周辺部位を示す。
底壁部１１ｃのコ字状空間側の面に、外形が縦断面（車幅方向）で略六角形となる、中空のガラス規制部１６が設けられている。ガラス規制部１６は、６辺をなす側壁部１６ａ，１６ｂ，１６ｃ，１６ｄ，１６ｅ，１６ｆにより構成されており、それら側壁部１６ａ〜１６ｆのうち、上側に位置する側壁部１６ａが底壁部１１ｃに一体的に形成されている。
【００１２】
そして、ガラス規制部１６において、車幅方向にて車室内側に位置されている２辺の側壁部１６ｂ，１６ｃが、該ガラス規制部１６の中空内部からみて外方（車室内方向）に凸となるように屈曲して交じわっており、その交わる頂点部位１６ｇが、インナ側の側壁部１１ａに対向しており、さらに、車幅方向にて車室外側に位置されている２辺の側壁部１６ｄ，１６ｅが、該ガラス規制部１６の中空内部からみて外方（車室外方向）に凸となるように屈曲して交じわっており、その交わる頂点部位１６ｈが、アウタ側の側壁部１１ｂに対向している。このとき、各頂点部位１６ｇ，１６ｈは、インナ側及びアウタ側それぞれの側壁部１１ａ，１１ｂに対し、該側壁部１１ａ，１１ｂの係止突起１２，１３の形成部位に対向するように隙間を介して対向している。そして、各頂点部位１６ｇ，１６ｈには、インナ側及びアウタ側の側壁部１１ａ，１１ｂ側に突出する突起部１７，１８が設けられている。
また、ガラス規制部１６において、上側及び下側の側壁部１６ａ，１６ｆには、中空部内側の面に、互いに対応するように突起部１９，２０が設けられている。
【００１３】
（動作、作用及び効果）
動作、作用及び効果は次のようになる。
図２から図５の変化として示すように、ドアガラス１００が上昇してくると、各シールリップ１４，１５を撓ませながらそのグラスラン本体１１のコ字状空間にてドアガラス１００の上端部を案内しながら受容する。その後、ドアガラス１００の上端面がガラス規制部１６に当接し、これをもって車室内外をシールすることになる。
【００１４】
このとき、ガラス規制部１６は、ドアガラス１００の上端面が当接されて、押圧されることで、撓むようになる。すなわち、ガラス規制部１６は、車幅方向（左右方向）に広がり、これにより、インナ側の側壁部１１ａに対向する頂点部位１６ｇが車室内方向に変位して、該頂点部位１６ｇに設けてある突起部１７が該側壁部１１ａ（特に係止突起１２の形成部位）に当接して、該側壁部１１ａを車室内方向に押圧するとともに、アウタ側の側壁部１１ｂに対向する頂点部位１６ｈが車室外方向に変位して、該頂点部位１６ｈに設けてある突起部１８が該側壁部１１ｂ（特に係止突起１３の形成部位）に当接して、該側壁部１１ｂを車室外方向に押圧する。さらに、ガラス規制部１６において、下側の側壁部１６ｆが上方に変位し、上側の側壁部１６ａと下側の側壁部１６ｆとに設けた各突起部１９，２０が互いに当接し、これにより、底壁部１１ｃが上方に押圧される。
【００１５】
この結果、グラスラン本体１１は、底壁部１１ｃがドアサッシュ部３０の底壁部３３と圧接され、さらに、インナ側及びアウタ側の側壁部１１ａ，１１ｂがドアサッシュ部３０の両側壁部３１，３２と圧接されるようになり、ドアガラス１００を閉じた状態における、グラスラン本体１１とドアサッシュ部３０とのシール性を確保し、遮音性能を向上させることができる。
【００１６】
また、ガラス規制部１６にて側壁部１６ｂ〜１６ｅが、該ガラス規制部１６の中空内部からみて外方（車室内及び車室外方向）に凸となるように屈曲して交わっているので、インナ側及びアウタ側の側壁部１１ａ，１１ｂに対向する部位となるガラス規制部１６の頂点部位１６ｇ，１６ｈが確実に、該ガラス規制部１６の中空内部からみて外方に変位するようになり、例えば、インナ側及びアウタ側の側壁部１１ａ，１１ｂに対向する部位が該ガラス規制部１６の中空内部側に変位することもなく（凹むこともなく）、該頂点部位１６ｇ，１６ｈに設けてある突起部１７，１８により該側壁部１１ａ，１１ｂを確実に押圧できるようなる。
【００１７】
さらに、グラスラン本体１１の底壁部１１ｃに、外形が縦断面（車幅方向）で略六角形状となる、中空のガラス規制部１６を設けるだけといった簡単な構造により、グラスラン本体１１とドアサッシュ部３０とのシール性を確保し、遮音性能を向上させることができる。そして、ドアグラスランの外形は、従来のドアグラスランの外形を維持したものとなっているので、ドアグラスランをドアサッシュ部に容易に組み付けることができ、これにより、ドアグラスランをゴム成型により成型した場合でも、ドアサッシュ部へのドアグラスランの組み付けばらつきを抑えることができ、組み付けばらつきが原因で発生するシール性能の低下をも防止できる。
【００１８】
また、グラスラン本体１１の頂点部位１６ｇ，１６ｈに突起部１７，１８を設けることで、インナ側及びアウタ側の側壁部１１ａ，１１ｂとドアサッシュ部３０の両側壁部３１，３２との圧接状態を確実なものとすることができ、グラスラン本体１１とドアサッシュ部３０とのシール性を確実に確保し、遮音性能を確実に向上させることができる。すなわち、突起部１７，１８とインナ側及びアウタ側の側壁部１１ａ，１１ｂとの接触面積を抑えることで、該接触面での圧力分布を集中させることができ、結果として、インナ側及びアウタ側の側壁部１１ａ，１１ｂとドアサッシュ部３０の両側壁部３１，３２との圧接状態を確実なものとすることができる。
【００１９】
本発明を適用した場合、グラスラン本体１１は、底壁部１１ｃがドアサッシュ部３０の底壁部３３と確実に圧接し、インナ側及びアウタ側の側壁部１１ａ，１１ｂがドアサッシュ部３０の両側壁部３１，３２と確実に圧接するようになり、グラスラン本体１１とドアサッシュ部３０とのシール性を確実に確保し、遮音性能を確実に向上させることができる。
【００２０】
また、ガラス規制部１６の変形により、各頂点部位１６ｇ，１６ｈがグラスラン本体１１の各側壁部１１ａ，１１ｂにおける係止突起１２，１３の形成部位と当接するようになっていることで、該グラスラン本体１１の各側壁部１１ａ，１１ｂの係止突起１２，１３とドアサッシュ部３０の両側壁部３１，３２の係止部３４，３５との圧接状態を確実なものとすることができるので、一般的に遮音性能が低下するとされているグラスラン本体とドアサッシュ部との係合構造部位においても、遮音を確実なものとすることができる。
【００２１】
また、ドアガラス１００を閉めたときに、グラスラン本体１１の各側壁部１１ａ，１１ｂの係止突起１２，１３とドアサッシュ部３０の両側壁部３１，３２の係止部３４，３５との圧接力（係止力）を大きくするように作用する構造なので、ドアサッシュ部３０へのドアグラスラン１０の脱着の作業性を損なうことなく、遮音性能を向上させることができる。
なお、以上のような説明からもわかるように、ガラス規制部１６の形状、特に頂点部位１６ｇ，１６ｈの突起部１７，１８の突出量やガラス規制部１６の上側及び下側の側壁部１６ａ，１６ｆに設けた突起部１９，２０の突出量は、前述のような作用及び効果を発揮できるような形状に決定されていることは言うまでもない。
なお、前記実施形態を次のような構成により実現することもできる。
【００２２】
すなわち、前記実施形態では、ガラス規制部が、外形が縦断面（車幅方向）で中空の略六角形とされている。しかし、これに限定されるものではない。すなわち、グラスラン本体１１の底壁部１１ｃの該グラスラン本体１１のコ字状又はチャンネル状空間側の面に、ドアガラス１００を閉める際に、コ字状又はチャンネル状空間に受容された該ガラス１００の上端面に押圧されて変形する変形部を設けており、変形部が、ドアガラス１００の上端面に押圧されることで、グラスラン本体１１の一対の側壁部１１ａ，１１ｂに対応する部位が変位して、グラスラン本体１１の一対の側壁部１１ａ，１１ｂを前記コ字状又はチャンネル状空間からみて外方に押圧するとともに、グラスラン本体１１の底壁部１１ｃを上方に押圧すようにすることもできる。すなわち、このような要件を満たすものであれば、ガラス規制部は、他の弾性可能な形状や可撓性の形状等、例えば、中実形状でもよく、外形が縦断面（車幅方向）で六角形以外の形状であっても良い。
【００２３】
（実施例）
実施例は次のようになる。
図６は、側方遮音度を示す特性図であり、横軸が１／３オクターブバンド中心周波数となり、縦軸が音響伝達関数となる。同図において、実線は、本発明を適用した自動車用ドアグラスランにより得た結果であり、点線は、従来例の自動車用ドアグラスランにより得た結果である。
図６に示すように、本発明を適用した場合（実線）の方が、音響伝達関数が小さくなり、特に周波数が大きい領域では小さくなる。そして、本発明を適用した場合、最大で４ｄＢ小さくなる。このように、本発明を適用することで、側方遮音度が向上する結果を得ることができた。
【図面の簡単な説明】
【００２４】
【図１】本実施形態の自動車用ドアグラスランの構成を示す斜視図である。
【図２】ドアサッシュ部に取り付けられた状態の自動車用ドアグラスランを示す断面図である。
【図３】自動車用ドアグラスランが装着されるフロントドア及びリヤドアのドアサッシュ部を示す図である。
【図４】ガラス規制部及びその周辺部位を示す断面図である。
【図５】ドアガラスが上昇してきて、グラスラン本体のコ字状空間にて該ドアガラスを受容した状態の自動車用ドアグラスランを示す断面図である。
【図６】実施例の結果を示す特性図である。
【符号の説明】
【００２５】
１０  ドアグラスラン、１１  グラスラン本体、１１ａ，１１ｂ  グラスラン本体の側壁部、１１ｃ  底壁部、１６  ガラス規制部、１６ａ〜１６ｆ  ガラス規制部の側壁部、１６ｇ，１６ｈ  頂点部位、１７〜２０  突起部
【図１】
2008162320.tif 000003
【図２】
2008162320.tif 000004
【図３】
2008162320.tif 000005
【図４】
2008162320.tif 000006
【図５】
2008162320.tif 000007
【図６】
2008162320.tif 000008